(57)【特許請求の範囲】
【請求項１】
少なくとも、カメラ、マイク、モニタ、スピーカを具備するＡＶ入出力部と、
少なくとも映像および音声データを記録する記録部と、
サーバ装置との間でのデータ送受信機能を有するローカル通信部と、
上記各部の制御を行う制御部と、
を具備し、
前記記録部は、使用者の車両固有の情報を記録する車両情報記録手段を具備し、
前記制御部は、前記車両固有の情報を用いてデータを暗号化する暗号化手段を具備する、ことを特徴とする車載装置。
【請求項２】
請求項１に記載の車載装置であって、
前記暗号化手段は、データの種別や特徴を表す領域にのみ暗号化する、ことを特徴とする車載装置。
【請求項３】
少なくとも映像および音声データを記録する記録部と、
少なくとも電話回線網および／またはＩＰ通信網を含む既存のネットワークに常時接続して、データの送受信を行うグローバル通信部と、
１つ以上の車載装置との通信を行うローカル通信部と、
上記各部の制御を行う制御部と、
を具備し、
前記制御部は、前記車載装置に通信宛先を割り当て、前記グローバル通信部から受信するデータを、前記記録部に記録し、前記ローカル通信部を介して前記車載装置と通信接続された状態で、前記記録部に記録されたデータを送信し、さらに、前記車載装置から通信宛先を付加して送信されたデータを前記記録部に記録し、記録したデータを前記グローバル通信部を介して前記既存のネットワークに送信できる通信制御手段を具備し、
前記記録部は、前記車両固有の情報を記録する車両情報記録手段を具備し、
前記制御部は、前記記録部に記録されたデータに対し、前記車両固有の情報を用いて暗号化および復号する暗復号手段をさらに具備する、ことを特徴とするサーバ装置。
【請求項４】
少なくとも映像および音声データを記録する記録部と、
少なくとも電話回線網および／またはＩＰ通信網を含む既存のネットワークに常時接続して、データの送受信を行うグローバル通信部と、
１つ以上の車載装置との通信を行うローカル通信部と、
上記各部の制御を行う制御部と、
を具備し、
前記制御部は、前記車載装置に通信宛先を割り当て、前記グローバル通信部から受信するデータを、前記記録部に記録し、前記ローカル通信部を介して前記車載装置と通信接続された状態で、前記記録部に記録されたデータを送信し、さらに、前記車載装置から通信宛先を付加して送信されたデータを前記記録部に記録し、記録したデータを前記グローバル通信部を介して前記既存のネットワークに送信できる通信制御手段を具備するサーバ装置と、
前記サーバ装置との通信状態を、前記車載装置を含む他の情報通信装置に移行する要求を前記サーバ装置に送信する通信譲渡要求手段をそれぞれ具備する車載装置および情報通信装置から構成される、ことを特徴とする通信システム。
【請求項５】
少なくとも映像および音声データを記録する記録部と、
少なくとも電話回線網および／またはＩＰ通信網を含む既存のネットワークに常時接続して、データの送受信を行うグローバル通信部と、
１つ以上の車載装置との通信を行うローカル通信部と、
上記各部の制御を行う制御部と、
を具備し、
前記制御部は、前記車載装置に通信宛先を割り当て、前記グローバル通信部から受信するデータを、前記記録部に記録し、前記ローカル通信部を介して前記車載装置と通信接続された状態で、前記記録部に記録されたデータを送信し、さらに、前記車載装置から通信宛先を付加して送信されたデータを前記記録部に記録し、記録したデータを前記グローバル通信部を介して前記既存のネットワークに送信できる通信制御手段を具備するサーバ装置と、
前記サーバ装置との通信状態を、前記車載装置を含む他の情報通信装置から受け継ぐ要求を、前記サーバ装置に送信する通信譲受要求手段をそれぞれ具備する車載装置および情報通信装置から構成される、ことを特徴とする通信システム。
【請求項６】
請求項４または請求項５に記載の通信システムであって、
前記情報通信装置は、携帯電話端末である、ことを特徴とする通信システム。
【請求項７】
請求項４または請求項５に記載の通信システムであって、
前記情報通信装置は、テレビ会議用端末である、ことを特徴とする通信システム。
【請求項８】
少なくとも、カメラ、マイク、モニタ、スピーカを具備するＡＶ入出力部と、
少なくとも映像および音声データを記録する記録部と、
サーバ装置との間でのデータ送受信機能を有するローカル通信部と、
上記各部の制御を行う制御部と、
を具備し、
前記記録部は、使用者の車両固有の情報を記録する車両情報記録手段を具備する、１つ以上の車載装置と、
少なくとも映像および音声データを記録する記録部と、
少なくとも電話回線網および／またはＩＰ通信網を含む既存のネットワークに常時接続して、データの送受信を行うグローバル通信部と、
１つ以上の車載装置との通信を行うローカル通信部と、
上記各部の制御を行う制御部と、
を具備し、
前記制御部は、前記車載装置に通信宛先を割り当て、前記グローバル通信部から受信するデータを、前記記録部に記録し、前記ローカル通信部を介して前記車載装置と通信接続された状態で、前記記録部に記録されたデータを送信し、さらに、前記車載装置から通信宛先を付加して送信されたデータを前記記録部に記録し、記録したデータを前記グローバル通信部を介して前記既存のネットワークに送信できる通信制御手段を具備する、サーバ装置とから構成される通信システムであって、
前記車載装置の前記制御部は、前記複数の映像および音声データの開始または終了時刻が異なる際に、各データの開始または終了時刻情報を基に、全ての映像および音声を同期させて再生する同期再生手段を具備し、
前記サーバ装置の前記記録部は、前記ローカル通信部および前記グローバル通信部で受信する複数の映像データおよび音声データに、開始および終了に係る時刻情報を付加して記録する時刻情報記録手段を具備する、ことを特徴とする通信システム。
【発明の詳細な説明】
【技術分野】
【０００１】
本発明は、車載装置、サーバ装置および通信システムにかかわり、特に車載装置がサーバ装置と通信する際の認証技術や、既存のネットワークを利用した通信技術等に関するものである。
【背景技術】
【０００２】
従来の情報通信装置および通信システムにおいて、複数の情報通信装置を通信宛先で管理し、機器を移って別の機器を使用しても、通信を保持し続けることを可能にする情報通信装置、通信システムおよび通信方法が知られている（例えば、特許文献１参照）。
【特許文献１】特開２００５−２６０３４８号公報（第１頁、第１図等）
【発明の開示】
【発明が解決しようとする課題】
【０００３】
しかしながら、従来の情報通信装置および通信システムにおいては、電話番号やＩＰアドレスのような、通信宛先を割り当てる方式が確立されていない車載装置に対して、通信状態を移行することは困難であり、さらに、車載装置間で利用されるネットワーク通信がメーカー独自の方式であるため、既存の電話回線網やＩＰ通信網を利用する情報通信装置から車載装置、または車載装置から情報通信装置に通信状態を移行することは困難であるという課題があった。
【課題を解決するための手段】
【０００８】
本第一の発明の車載装置は、少なくとも、カメラ、マイク、モニタ、スピーカを具備するＡＶ入出力部と、少なくとも映像および音声データを記録する記録部と、サーバ装置との間でのデータ送受信機能を有するローカル通信部と、上記各部の制御を行う制御部と、を具備し、前記記録部は、使用者の車両固有の情報を記録する車両情報記録手段を具備し、前記制御部は、前記車両固有の情報を用いてデータを暗号化する暗号化手段を具備することを特徴とする車載装置である。
【０００９】
かかる構成により、前記車両情報記録手段によって記録された車両固有の情報を基に、各車両に具備される車載装置に対して通信宛先を割り当てることができ、車載装置間の通信が可能となる。
かかる構成により、データ送信時に、第三者への情報漏洩を防ぐことが可能となる。
【００１０】
また、本第二の発明の車載装置は、第一の発明に対して、前記暗号化手段は、データの種別や特徴を表す領域にのみ、暗号化することを特徴とする車載装置である。
【００１１】
かかる構成により、データ送信時に、第三者への情報漏洩を防ぐだけでなく、
前記車載装置の演算処理の負荷や、ネットワーク通信の負荷を軽減することが可能となる。
【００３０】
また、本第三の発明のサーバ装置は、少なくとも映像および音声データを記録する記録部と、少なくとも電話回線網および／またはＩＰ通信網を含む既存のネットワークに常時接続して、データの送受信を行うグローバル通信部と、１つ以上の車載装置との通信を行うローカル通信部と、上記各部の制御を行う制御部と、を具備し、前記制御部は、前記車載装置に通信宛先を割り当て、前記グローバル通信部から受信するデータを、前記記録部に記録し、前記ローカル通信部を介して前記車載装置と通信接続された状態で、前記記録部に記録されたデータを送信し、さらに、前記車載装置から通信宛先を付加して送信されたデータを前記記録部に記録し、記録したデータを前記グローバル通信部を介して前記既存のネットワークに送信できる通信制御手段を具備し、前記記録部は、前記車両固有の情報を記録する車両情報記録手段を具備し、前記制御部は、前記記録部に記録されたデータに対し、前記車両固有の情報を用いて暗号化および復号する暗復号手段をさらに具備することを特徴とするサーバ装置である。
【００３１】
かかる構成により、前記既存のネットワークを介して、前記車載装置と前記情報通信装置との間に通信サービスを提供することが可能となる。
かかる構成により、データ送受信時に、第三者への情報漏洩を防ぐことが可能となる。
【００４２】
また、本第四の発明の通信システムは、少なくとも映像および音声データを記録する記録部と、少なくとも電話回線網および／またはＩＰ通信網を含む既存のネットワークに常時接続して、データの送受信を行うグローバル通信部と、１つ以上の車載装置との通信を行うローカル通信部と、上記各部の制御を行う制御部とを具備し、前記制御部は、前記車載装置に通信宛先を割り当て、前記グローバル通信部から受信するデータを、前記記録部に記録し、前記ローカル通信部を介して前記車載装置と通信接続された状態で、前記記録部に記録されたデータを送信し、さらに、前記車載装置から通信宛先を付加して送信されたデータを前記記録部に記録し、記録したデータを前記グローバル通信部を介して前記既存のネットワークに送信できる通信制御手段を具備するサーバ装置と、前記サーバ装置との通信状態を、前記車載装置を含む他の情報通信装置に移行する要求を前記サーバ装置に送信する通信譲渡要求手段をそれぞれ具備する車載装置および情報通信装置から構成される通信システムである。
【００４３】
かかる構成により、前記車載装置の操作により、前記車載装置と前記サーバ装置との通信状態を前記情報通信装置に移行し、車両外での通信が可能となり、移行後は、前記情報通信装置の操作により、再度前記車載装置に通信状態を戻すことが可能となる。
【００４４】
また、本第五の発明の通信システムは、少なくとも映像および音声データを記録する記録部と、少なくとも電話回線網および／またはＩＰ通信網を含む既存のネットワークに常時接続して、データの送受信を行うグローバル通信部と、１つ以上の車載装置との通信を行うローカル通信部と、上記各部の制御を行う制御部とを具備し、前記制御部は、前記車載装置に通信宛先を割り当て、前記グローバル通信部から受信するデータを、前記記録部に記録し、前記ローカル通信部を介して前記車載装置と通信接続された状態で、前記記録部に記録されたデータを送信し、さらに、前記車載装置から通信宛先を付加して送信されたデータを前記記録部に記録し、記録したデータを前記グローバル通信部を介して前記既存のネットワークに送信できる通信制御手段を具備するサーバ装置と、前記サーバ装置との通信状態を、前記車載装置を含む他の情報通信装置から受け継ぐ要求を、前記サーバ装置に送信する通信譲受要求手段をそれぞれ具備する車載装置および情報通信装置から構成される通信システムである。
【００４５】
かかる構成により、前記情報通信装置の操作により、前記車載装置と前記サーバ装置との通信状態を前記情報通信装置に移行し、車両外での通信が可能となり、移行後は、前記車載装置の操作により、再度前記車載装置に通信状態を戻すことが可能となる。
【００４６】
また、本第六の発明の通信システムは、第四または第五の発明に対して、前記情報通信装置は、携帯電話端末であることを特徴とする通信システムである。
【００４７】
かかる構成により、前記車載装置または前記携帯電話端末の操作により、前記車載装置と前記サーバ装置との通信状態を前記携帯電話端末に移行し、車両外部に持ち出して通信を継続することが可能となり、車両内に戻る際には、再度前記車載装置に通信状態を戻すことが可能となる。
【００４８】
また、本第七の発明の通信システムは、第四または第五の発明に対して、前記情報通信装置は、テレビ会議用端末であることを特徴とする通信システムである。
【００４９】
かかる構成により、前記テレビ会議端末がテレビ会議を行っている状態から、前記車載装置または前記テレビ会議端末の操作により、前記テレビ会議端末と前記サーバ装置との通信状態を前記車載装置に移行し、車両内でテレビ会議を継続することが可能となる。
【００５２】
また、本第八の発明の通信システムは、少なくとも、カメラ、マイク、モニタ、スピーカを具備するＡＶ入出力部と、少なくとも映像および音声データを記録する記録部と、サーバ装置との間でのデータ送受信機能を有するローカル通信部と、上記各部の制御を行う制御部とを具備し、前記記録部は、使用者の車両固有の情報を記録する車両情報記録手段を具備する、１つ以上の車載装置と、少なくとも映像および音声データを記録する記録部と、少なくとも電話回線網および／またはＩＰ通信網を含む既存のネットワークに常時接続して、データの送受信を行うグローバル通信部と、１つ以上の車載装置との通信を行うローカル通信部と、上記各部の制御を行う制御部とを具備し、前記制御部は、前記車載装置に通信宛先を割り当て、前記グローバル通信部から受信するデータを、前記記録部に記録し、前記ローカル通信部を介して前記車載装置と通信接続された状態で、前記記録部に記録されたデータを送信し、さらに、前記車載装置から通信宛先を付加して送信されたデータを前記記録部に記録し、記録したデータを前記グローバル通信部を介して前記既存のネットワークに送信できる通信制御手段を具備する、サーバ装置とから構成される通信システムであって、前記車載装置の前記制御部は、前記複数の映像および音声データの開始または終了時刻が異なる際に、各データの開始または終了時刻情報を基に、全ての映像および音声を同期させて再生する同期再生手段を具備し、前記サーバ装置の前記記録部は、前記ローカル通信部および前記グローバル通信部で受信する複数の映像データおよび音声データに、開始および終了に係る時刻情報を付加して記録する時刻情報記録手段を具備することを特徴とする通信システムである。
【００５３】
かかる構成により、前記サーバ装置がデータの開始および終了時刻を付加した複数の映像データおよび音声データをストリーム配信することで、前記車載装置が受信した複数の映像および音声データを同時に再生する際に、各データの開始または終了時刻が異なっていても、映像および音声を同期させて再生することが可能となる。
【発明の効果】
【００５４】
本発明による車載装置、サーバ装置および通信システムによれば、電話回線網やＩＰ通信網などの既存のネットワークを利用し、車載装置の認証やデータの暗復号を利用したセキュアな通信、ネットワーク負荷の軽減、装置間における通信状態の移行、複数のテレビ会議記録データの同期配信などを実現できる。
【発明を実施するための最良の形態】
【００５５】
以下、車載装置、車載用サーバ装置および通信システム等の実施形態について図面を参照して説明する。なお、実施の形態において同じ符号を付した構成要素は同様の動作を行うので、再度の説明を省略する場合がある。
【００５６】
（実施の形態１）
図１は、本実施の形態１における通信システムのブロック図である。
【００５７】
この通信システムは、車載用サーバ装置１、車載装置２、情報通信装置３、ＩＰ通信網４から構成される。
【００５８】
車載用サーバ装置１は、制御部１０ａ、ローカル通信部２０ａ、グローバル通信部３０ａ、記録部４０ａを具備する。
【００５９】
車載装置２は、制御部１０ｂ、ローカル通信部２０ｂ、記録部４０ｂ、ＡＶ入出力部５０ａを具備する。
【００６０】
情報通信装置３は、制御部１０ｃ、グローバル通信部３０ｃ、ＡＶ入出力部５０ｂを具備する。
【００６１】
制御部１０ａは、通信制御手段１０１を具備する。この制御部１０ａは、通常、ＭＰＵやメモリ等から実現され得る。制御部１０ａの処理手順は、通常、ソフトウェアで実現され、当該ソフトウェアはＲＯＭ等の記録媒体に記録されている。但し、ハードウェア（専用回路）で実現しても良い。
【００６２】
制御部１０ｂは、通常、ＭＰＵやメモリ等から実現され得る。制御部１０ｂの処理手順は、通常、ソフトウェアで実現され、当該ソフトウェアはＲＯＭ等の記録媒体に記録されている。但し、ハードウェア（専用回路）で実現しても良い。
【００６３】
制御部１０ｃは、通常、ＭＰＵやメモリ等から実現され得る。制御部１０ｃの処理手順は、通常、ソフトウェアで実現され、当該ソフトウェアはＲＯＭ等の記録媒体に記録されている。但し、ハードウェア（専用回路）で実現しても良い。
【００６４】
記録部４０ａは、不揮発性の記録媒体でも、揮発性の記録媒体でも良い。
【００６５】
記録部４０ａにデータが記憶される過程は問わない。例えば、記録媒体を介してデータが記録部４０ａで記憶されるようになってもよく、通信回線等を介して送信されたデータが記録部４０ａで記憶されるようになってもよく、あるいは、入力デバイスを介して入力されたデータが記録部４０ａで記憶されるようになってもよい。
【００６６】
記録部４０ｂは、不揮発性の記録媒体でも、揮発性の記録媒体でも良い。
【００６７】
記録部４０ｂにデータが記憶される過程は問わない。例えば、記録媒体を介してデータが記録部４０ｂで記憶されるようになってもよく、通信回線等を介して送信されたデータが記録部４０ｂで記憶されるようになってもよく、あるいは、入力デバイスを介して入力されたデータが記録部４０ｂで記憶されるようになってもよい。
【００６８】
ＡＶ入出力部５０ａは、カメラ５０１ａ、マイク５０２ａ、モニタ５０３ａ、スピーカ５０４ａを具備する。
【００６９】
ＡＶ入出力部５０ｂは、カメラ５０１ｂ、マイク５０２ｂ、モニタ５０３ｂ、スピーカ５０４ｂを具備する。
【００７０】
以下、本実施の形態１における通信システムの具体的な動作について説明する。
【００７１】
情報通信装置３において、制御部１０ｃは、ＡＶ入出力部５０ｂのカメラ５０１ｂおよびマイク５０２ｂより入力された映像および音声をデータ処理後、グローバル通信部３０ｂより、映像および音声データを、車載装置２に割り当てられた通信宛先に送信する。送信された映像および音声データは、ＩＰ通信網４を介して車載用サーバ装置１のグローバル通信部３０ａより受信される。
【００７２】
車載用サーバ装置１において、制御部１０ａの通信制御手段１０１は、受信した映像および音声データを記録部４０ａに蓄積し、通信宛先の車載装置２とネットワーク接続されているときに、記録部４０ａに蓄積された映像および音声データをローカル通信部２０ａより車載装置２に送信する。車載装置２において、制御部１０ｂは、ローカル通信部２０ｂより受信した映像および音声データをＡＶ入出力部５０ａのモニタ５０３ａおよびスピーカ５０４ａに出力する。
【００７３】
また、車載装置２において、制御部１０ｂは、ＡＶ入出力部５０ａのカメラ５０１ａおよびマイク５０２ａより入力された映像および音声をデータ処理後、車載用サーバ装置１とネットワーク接続されているときに、ローカル通信部２０ｂより、映像および音声データを、情報通信装置３の通信宛先に送信する。送信された映像および音声データは、車載用サーバ装置１のローカル通信部２０ａより受信する。車載用サーバ装置１において、制御部１０ａの通信制御手段１０１は、受信した映像および音声データを記録部４０ａに蓄積し、蓄積された映像および音声データをグローバル通信部３０ａより、ＩＰ通信網４を介して情報通信装置３に送信する。
【００７４】
情報通信装置３において、制御部１０ｃは、グローバル通信部３０ｂより受信した映像および音声データをＡＶ入出力部５０ｂのモニタ５０３ｂおよびスピーカ５０４ｂに出力する。
【００７５】
以上、本実施の形態１によれば、既存のＩＰ通信網４を利用して、車載装置２と情報通信装置３との間で映像および音声通信が可能となる。
【００７６】
（実施の形態２）
図２は、本実施の形態２における通信システムのブロック図である。
【００７７】
この通信システムは、図１に示す実施の形態１の構成を前提にして、制御部１０ａは、認証手段１０２を、記録部４０ａは、車両情報記録手段４０１ａを、記録部４０ｂは、車両情報記録手段４０１ｂを、それぞれ、具備する。
【００７８】
その他の構成については図１と同様であるので、同一部分に同一符号を付すにとどめ、説明を省略する。
【００７９】
以下、本実施の形態２における通信システムの具体的な動作について説明する。
【００８０】
車載装置２において、制御部１０ｂは、車載用サーバ装置１とのネットワーク接続開始時に、記録部４０ｂの車両情報記録手段４０１ｂにより記録されている自動車登録番号標データをローカル通信部２０ｂより送信する。
【００８１】
車載用サーバ装置１において、制御部１０ａの認証手段１０２は、ローカル通信部２０ａより受信した自動車登録番号標データと、記録部４０ａの車両情報記録手段４０１ａにより記録されている自動車登録番号標データとを比較し、合致していれば車載装置２に対して各種通信サービスを開始し、合致していなければ車載装置２とのネットワーク接続を切断する。
【００８２】
以上、本実施の形態２によれば、車載用サーバ装置１と車載装置２との間で、セキュアなネットワーク通信が可能となる。
【００８３】
さらに、本実施の形態に２よれば、自動車登録番号標データは車両固有の情報であるため、通信宛先に利用すれば、複数の車載装置間で重複することなく割り当てることが可能となる。
【００８４】
（実施の形態３）
図３は、本実施の形態３における通信システムのブロック図である。
【００８５】
この通信システムは、図２に示す実施の形態２の構成を前提にする。
【００８６】
車載用サーバ装置１において、制御部１０ａは、さらに暗復号手段１０３を具備する。
【００８７】
車載装置２において、制御部１０ｂは、暗号化手段１０４、復号手段１０５を具備する。
【００８８】
その他の構成については図１と同様であるので、同一部分に同一符号を付すにとどめ、説明を省略する。
【００８９】
以下、本実施の形態３における通信システムの具体的な動作について説明する。
【００９０】
車載装置２において、制御部１０ｂの暗号化手段１０４は、記録部４０ｂの車両情報記録手段４０１ｂに記録されている自動車登録番号標データを用いて、各種データの種別や特徴を表すヘッダ領域を暗号化し、ローカル通信部２０ｂより、車載用サーバ装置１に送信する。
【００９１】
車載用サーバ装置１において、制御部１０ａは、受信した暗号化データを記録部４０ａに蓄積し、制御部１０ａの暗復号手段１０３は、記録部４０ａの車両情報記録手段４０１ａに記録されている自動車登録番号標データを用いて暗号化データを復号し、復号した元データを記録部４０ａに蓄積する。記録部４０ａには、暗号化データと元データが蓄積され、状況に応じて各々のデータをグローバル通信部３０ａおよびローカル通信部２０ａより送信する。
【００９２】
また、車載用サーバ装置１において、制御部１０ａは、グローバル通信部３０ａおよびローカル通信部２０ａより受信した暗号化データ、または暗復号手段１０３が、記録部４０ａの車両情報記録手段４０１ａに記録されている自動車登録番号標データを用いてヘッダ領域を暗号化したデータを記録部４０ａに蓄積し、蓄積した暗号化データをローカル通信部２０ａより送信する。車載装置２において、制御部１０ｂの復号手段１０５は、ローカル通信部２０ｂより受信した暗号化データを、記録部４０ｂの車両情報記録手段４０１ｂに記録されている自動車登録番号標データを用いて復号し、元データを記録部４０ｂに記録する。
【００９３】
以上、本実施の形態３によれば、車載用サーバ装置１と車載装置２との通信に暗号化データを使用するため、第三者への情報漏洩を防ぐことが可能となる。
【００９４】
さらに、本実施の形態３によれば、暗号化する領域をデータの種別や特徴を表すヘッダ領域に限定しているため、車載用サーバ装置１および車載装置２における演算処理の負荷や、ネットワーク通信の負荷を軽減することが可能となる。
【００９５】
（実施の形態４）
図４は、本実施の形態４における通信システムのブロック図である。
【００９６】
この通信システムは、図１に示す実施の形態１の構成を前提にする。
【００９７】
情報通信装置３を携帯電話端末５に限定する。
【００９８】
車載用サーバ装置１において、制御部１０ａは、認証手段１０２、通信切替処理手段１０６を具備し、また記録部４０ａは、車両情報記録手段４０１ａを具備する。
【００９９】
車載装置２において、ローカル通信部２０ｂは、通信譲渡要求手段２０１、通信譲受手段２０２を具備し、また記録部４０ｂは、車両情報記録手段４０１ｂを具備する。
【０１００】
情報通信装置３（携帯電話端末５）において、グローバル通信部３０ｂは、通信譲渡要求手段３０１、通信譲受手段３０２を具備する。
【０１０１】
その他の構成については図１と同様であるので、同一部分に同一符号を付すにとどめ、説明を省略する。
【０１０２】
以下、本実施の形態４における通信システムの具体的な動作について説明する。
【０１０３】
車載装置２において、制御部１０ｂは、車載用サーバ装置１とのネットワーク通信中に、ローカル通信部２０ｂの通信譲渡要求手段２０１により、車載用サーバ装置１に現在の通信状態を携帯電話端末５に移行する要求を送信する。
【０１０４】
車載用サーバ装置１において、ローカル通信部２０ａで車載装置２からの上記通信譲渡要求を受信すると、制御部１０ａの通信切替処理手段１０６は、ローカル通信部２０ａより接続している車載装置２との通信状態を保持し、グローバル通信部３０ａよりＩＰ通信網４を介して携帯電話端末５と接続を行った後、保持した通信状態を移行し、車載装置２との接続を切断する。
【０１０５】
そして、携帯電話端末５において、制御部１０ｃは、ＩＰ通信網４を介した車載用サーバ装置１とのネットワーク通信中に、グローバル通信部３０ｂの通信譲渡要求手段３０１より、車載用サーバ装置１に現在の通信状態を車載装置２に移行する要求を送信する。
【０１０６】
車載用サーバ装置１において、グローバル通信部３０ａで携帯電話端末５から上記通信譲渡要求を受信すると、制御部１０ａの通信切替処理手段１０６は、グローバル通信部３０ａより接続している携帯電話端末５との通信状態を保持し、ローカル通信部２０ａより車載装置２と接続を行った後、保持した通信状態を移行し、携帯電話端末５との接続を切断する。
【０１０７】
また、携帯電話端末５において、制御部１０ｃは、車載装置２と車載用サーバ装置２とのネットワーク通信中に、グローバル通信部３０ｂの通信譲受要求手段３０２により、車載用サーバ装置１に車載装置２との通信状態を携帯電話端末５に移行する要求を送信する。
【０１０８】
車載用サーバ装置１において、グローバル通信部３０ａで携帯電話端末５から上記通信譲受要求を受信すると、制御部１０ａの通信切替処理手段１０６は、ローカル通信部２０ａより接続している車載装置２との通信状態を保持し、グローバル通信部３０ａよりＩＰ通信網４を介して、保持した通信状態を移行し、車載装置２との接続を切断する。
【０１０９】
そして、車載装置２において、制御部は、ＩＰ通信網４を介した携帯電話端末５と車載用サーバ装置１とのネットワーク通信中に、ローカル通信部２０ｂの通信譲受要求手段２０２により、車載用サーバ装置１に携帯電話端末５との通信状態を車載装置２に移行する要求を送信する。
【０１１０】
車載用サーバ装置１において、ローカル通信部２０ａで車載装置２から上記通信譲渡要求を受信すると、制御部１０ａの通信切替処理手段１０６は、グローバル通信部３０ａより接続している携帯電話端末５との通信状態を保持し、ローカル通信部２０ａより保持した通信状態を移行し、携帯電話端末５との接続を切断する。
【０１１１】
以上、本実施の形態４によれば、車載装置２または携帯電話端末５の操作により、車載装置２と車載用サーバ装置１との通信状態を携帯電話端末５に移行し、車両外部に持ち出して通信を継続することが可能となり、車両内に戻る際には、車載装置２または携帯電話端末５の操作により、再度車載装置２に通信状態を戻すことが可能となる。
【０１１２】
（実施の形態５）
図５は、本実施の形態５における通信システムのブロック図である。
【０１１３】
この通信システムは、図２に示す実施の形態２の構成を前提にする。
【０１１４】
車載用サーバ装置１において、制御部１０ａは、さらに画質調整手段１０７ａ、音質調整手段１０８ａ、また、記録部４０ａは、さらに端末情報記録手段４０２を具備する。
【０１１５】
車載装置２において、制御部１０ｂは、画質調整手段１０７ｂ、音質調整手段１０８ｂを具備する。
【０１１６】
その他の構成については図２と同様であるので、同一部分に同一符号を付すにとどめ、説明を省略する。
【０１１７】
以下、本実施の形態５における通信システムの具体的な動作について説明する。
【０１１８】
車載用サーバ装置１において、制御部１０ａの画質調整手段１０７ａおよび音質調整手段１０８ｂは、記録部４０ａの端末情報記録手段４０２に記録されている車載装置２の性能情報を基に、記録部４０ａに蓄積された映像および音声データのビットレートを変換し、ローカル通信部２０ａより、変換後の映像および音声データを車載装置２に送信する。
【０１１９】
また、車載装置２において、制御部１０ｂは、ローカル通信部２０ｂより受信した映像および音声データをＡＶ入出力部５０ａのモニタ５０３ａおよびスピーカ５０４ａに出力する。そして、制御部１０ｂの画質調整手段１０７ｂは、ＡＶ入出力部５０ａのモニタ５０３ａに出力される映像にコマ落ちが発生した場合に、画質を落としてＡＶ入出力部５０ａのモニタ５０３ａに出力し、音質調整手段１０８ｂは、ＡＶ入出力部５０ａのスピーカ５０４ａに出力される音声に途切れが発生した場合に、音質を落としてＡＶ入出力部５０ａのスピーカ５０４ａに出力する。
【０１２０】
以上、本実施の形態５によれば、映像、音声のストリーム配信において、通信状態や配信先の通信端末の性能を考慮したストリーム配信が可能となる。
【０１２１】
さらに、本実施の形態５によれば、受信側の端末操作により、映像の乱れを軽減し、音声の途切れを防ぐことが可能となる。
【０１２２】
（実施の形態６）
図６は、本実施の形態６における通信システムのブロック図である。
【０１２３】
この通信システムは、図２に示す実施の形態２の構成を前提にする。
【０１２４】
車載用サーバ装置１において、制御部１０ａは、さらに動画静止画切替手段１０９を具備する。
【０１２５】
車載装置２において、制御部１０ｂは、受信映像切替手段１１０、送信映像切替手段１１１を具備する。
【０１２６】
その他の構成については図２と同様であるので、同一部分に同一符号を付すにとどめ、説明を省略する。
【０１２７】
以下、本実施の形態６における通信システムの具体的な動作について説明する。
【０１２８】
車載装置２において、制御部１０ｂは、ＡＶ入出力部５０ａのカメラ５０１ａおよびマイク５０２ａより入力された映像および音声をデータ処理後、ローカル通信部２０ｂより、映像および音声データをリアルタイムに車載用サーバ装置１に送信する。そして、車両がトンネル内を走行する際など、車載用サーバ装置１との通信状態が悪化したときに、制御部１０ｂの送信映像切替手段１１１は、映像データの送信を中断し、記録部４０ｂに記録されている静止画像を送信する。そして通信状態が回復すると、制御部１０ｂの送信映像切替手段１１１は、映像データの送信を再開する。
【０１２９】
また、車載装置２において、制御部１０ｂは、車載用サーバ装置１よりリアルタイムに配信される映像データをＡＶ入出力装置５０ａのモニタ５０３ａに表示する。そして、車両がトンネル内を走行する際など、車載用サーバ装置１との通信状態が悪化したときに、制御部１０ｂの受信映像切替手段１１０は、映像データの表示を中断し、記録部４０ｂに記録されている静止画像を表示する。そして通信状態が回復すると、制御部１０ｂの受信映像切替手段１１０は、映像データの表示を再開する。
【０１３０】
また、車載用サーバ装置１において、制御部１０ａは、記録部４０ａに蓄積された映像データを、グローバル通信部３０ａおよびローカル通信部２０ａよりストリーム配信する。そして、通信状態が悪化したときに、制御部１０ａの動画静止画切替手段１０９は、映像データの送信を中断し、記録部４０ａに記録されている静止画像を送信する。そして通信状態が回復すると、制御部１０ａの動画静止画切替手段１０９は、映像データの送信を再開する。
【０１３１】
以上、本実施の形態６によれば、通信状況に応じて動画データと静止画データを切り替えて送信することにより、通信負荷を軽減することが可能となる。
【０１３２】
さらに、本実施の形態６によれば、通信状況に応じて映像データと静止画像を切り替えて表示することにより、表示画面の乱れを軽減することが可能となる。
【０１３３】
（実施の形態７）
図７は、本実施の形態７における通信システムのブロック図である。
【０１３４】
この通信システムは、図１に示す実施の形態１の構成を前提にする。
【０１３５】
車載用サーバ装置１において、制御部１０ａは、認証手段１０２、発声者検出手段１１２ａ、また、記録部４０ａは、車両情報記録手段４０１ａ、同時記録手段４０３をそれぞれ具備する。
【０１３６】
車載装置２において、制御部１０ｂは、発声者検出手段１１２ｂ、分割表示手段１１３、同時再生手段１１４を、また、記録部４０ｂは、車両情報記録手段４０１ｂを、それぞれ、具備する。
【０１３７】
その他の構成については図１と同様であるので、同一部分に同一符号を付すにとどめ、説明を省略する。
【０１３８】
以下、本実施の形態７における通信システムの具体的な動作について説明する。
【０１３９】
情報通信装置３において、制御部１０ｃは、ＡＶ入出力部５０ｂのカメラ５０１ｂおよびマイク５０２ｂより入力された映像および音声をデータ処理後、グローバル通信部３０ｂより、映像および音声データを、ＩＰ通信網４を介して車載用サーバ装置１にリアルタイムに送信する。同様にして、別の情報通信装置においても、映像および音声データをリアルタイムに送信する。
【０１４０】
車載用サーバ装置１において、制御部１０ａは、受信した映像および音声データを記録部４０ａの同時記録手段４０３により蓄積する。そして、制御部１０ａの発声者検出手段１１２ａは、記録部４０ａに蓄積された映像および音声データを解析し、映像データに発声者情報を付加してローカル通信部２０ａより車載装置２に送信する。
【０１４１】
車載装置２において、制御部１０ｂは、ローカル通信部２０ｂより受信した複数の映像および音声データを、同時再生手段１１４により同時再生し、分割表示手段１１３により複数の映像データを分割したデータを作成し、さらに、発声者検出手段１１２ｂにより発声者情報を基に、複数の映像データのうち、発声者を含む映像を大きく表示するデータを作成し、ＡＶ入出力部５０ａのモニタ５０３ａおよびスピーカ５０４ａに出力する。
【０１４２】
以上、本実施の形態７によれば、複数の映像および音声データを同時にリアルタイムに記録、再生することが可能となる。
【０１４３】
さらに、本実施の形態７によれば、複数の映像を分割して表示することが可能となる。
【０１４４】
さらに、本実施の形態７によれば、複数の映像を分割して表示する際に、発声者を大きく表示することで、視認性を高めることが可能となる。
【０１４５】
（実施の形態８）
図８は、本実施の形態８における通信システムのブロック図である。
【０１４６】
この通信システムは、図１に示す実施の形態１の構成を前提にする。
【０１４７】
車載用サーバ装置１において、記録部４０ａは、車両情報記録手段４０１ａ、同時記録手段４０３、時刻情報記録手段４０４を具備する。
【０１４８】
車載装置２において、制御部１０ｂは、分割表示手段１１３、同時再生手段１１４、同期再生手段１１５を、また、記録部４０ｂは、車両情報記録手段４０１ｂを具備する。
【０１４９】
その他の構成については図１と同様であるので、同一部分に同一符号を付すにとどめ、説明を省略する。
【０１５０】
以下、本実施の形態８における通信システムの具体的な動作について説明する。
【０１５１】
情報通信装置３において、制御部１０ｃは、ＡＶ入出力部５０ｂのカメラ５０１ｂおよびマイク５０２ｂより入力された映像および音声をデータ処理後、グローバル通信部３０ｂより、映像および音声データを、ＩＰ通信網４を介して車載用サーバ装置１にリアルタイムに送信する。同様にして、別の情報通信装置においても、映像および音声データをリアルタイムに送信する。
【０１５２】
車載用サーバ装置１において、制御部１０ａは、受信した映像および音声データに対し、記録部４０ａの時刻情報記録手段４０４により、開始および終了時刻データを付加して記録部４０ａの同時記録手段４０３により蓄積し、ローカル通信部２０ａより車載装置２に送信する。
【０１５３】
車載装置２において、制御部１０ｂは、ローカル通信部２０ｂより受信した複数の映像および音声データを、分割表示手段１１３により複数の映像データを分割したデータを作成し、さらに、同期再生手段１１５により、開始および終了時刻データを基に、時刻情報が同期した１つの映像および音声データとして再構築し、ＡＶ入出力部５０ａのモニタ５０３ａおよびスピーカ５０４ａに出力する。
【０１５４】
以上、本実施の形態８によれば、複数の映像および音声データの開始および終了時刻が同期していない場合でも、データを再構築し、同期再生することが可能となる。
【０１５５】
（実施の形態９）
図９は、本実施の形態９におけるテレビ会議システムのブロック図である。
【０１５６】
この車載用テレビ会議システムは、図１から図８までに示す実施の形態１から実施の形態８までの構成を前提にして、情報通信装置３をテレビ会議用端末６に限定している。
【０１５７】
その他の構成については図１から図８のいずれかの構成と同様であるので、同一部分に同一符号を付すにとどめ、説明を省略する。
【０１５８】
本実施の形態９におけるテレビ会議システムの具体的な動作については、図１から図８までに示す実施の形態１から実施の形態８のいずれかの動作と同様であるので、説明を省略する。
【０１５９】
以上、本実施の形態９によれば、１つまたは複数の車載装置と、電話回線網やＩＰ通信網などの既存のネットワークに接続して、データの送受信を行う１つまたは複数の情報通信装置との間で、ネットワーク負荷が少なく、暗号化データを用いたセキュアなテレビ会議を実現することが可能となる。
【０１６０】
さらに、本実施の形態９によれば、機器を移ってテレビ会議を継続することが可能となる。
【０１６１】
さらに、本実施の形態９によれば、テレビ会議の通信状態や端末装置の性能に応じて、映像の乱れや音声の途切れを防ぐことが可能となる。
【０１６２】
さらに、本実施の形態９によれば、テレビ会議の通信状態に応じて、動画配信を静止画に切り替え、通信負荷を軽減することが可能となる。
【０１６３】
さらに、本実施の形態９によれば、テレビ会議に係る複数の映像および音声データを同時にリアルタイムに記録、再生することが可能となる。
【０１６４】
さらに、本実施の形態９によれば、テレビ会議に係る複数の映像を分割して表示し、発声者を大きく表示することで、視認性を高めることが可能となる。
【０１６５】
さらに、本実施の形態９によれば、テレビ会議に係る複数の映像および音声データの開始および終了時刻が同期していない場合でも、データを再構築し、同期再生することが可能となる。
【産業上の利用可能性】
【０１６６】
以上のように、本発明にかかる車載装置、車載用サーバ装置および通信システムは、電話回線網やＩＰ通信網などの既存のネットワークを利用し、車載装置の認証やデータの暗復号を利用したセキュアな通信、ネットワーク負荷の軽減、装置間における通信状態の移行、複数の映像および音声データの同期配信などを実現できるという効果を有し、車載用テレビ会議システム等として有用である。
【図面の簡単な説明】
【０１６７】
【図１】図１は本発明の実施の形態１における通信システムの構成を示すブロック図である。
【図２】図２は本発明の実施の形態２における通信システムの構成を示すブロック図である。
【図３】図３は本発明の実施の形態３における通信システムの構成を示すブロック図である。
【図４】図４は本発明の実施の形態４における通信システムの構成を示すブロック図である。
【図５】図５は本発明の実施の形態５における通信システムの構成を示すブロック図である。
【図６】図６は本発明の実施の形態６における通信システムの構成を示すブロック図である。
【図７】図７は本発明の実施の形態７における通信システムの構成を示すブロック図である。
【図８】図８は本発明の実施の形態８における通信システムの構成を示すブロック図である。
【図９】図９は本発明の実施の形態９におけるテレビ会議システムの構成を示すブロック図である。
【符号の説明】
【０１６８】
１  車載用サーバ装置
２  車載装置
３  情報通信装置
４  ＩＰ通信網
５  携帯電話端末
６  テレビ会議用端末
１０ａ  制御部
１０ｂ  制御部
１０ｃ  制御部
２０ａ  ローカル通信部
２０ｂ  ローカル通信部
３０ａ  グローバル通信部
３０ｂ  グローバル通信部
４０ａ  記録部
４０ｂ  記録部
５０ａ  ＡＶ入出力部
５０ｂ  ＡＶ入出力部
１０１  通信制御手段
１０２  認証手段
１０３  暗復号手段
１０４  暗号化手段
１０５  復号手段
１０６  通信切替処理手段
１０７ａ  画質調整手段
１０７ｂ  画質調整手段
１０８ａ  音質調整手段
１０８ｂ  音質調整手段
１０９  動画静止画切替手段
１１０  受信映像切替手段
１１１  送信映像切替手段
１１２ａ  発声者検出手段
１１２ｂ  発声者検出手段
１１３  分割表示手段
１１４  同時再生手段
１１５  同期再生手段
２０１  通信譲渡要求手段
２０２  通信譲受要求手段
３０１  通信譲渡要求手段
３０２  通信譲受要求手段
４０１ａ  車両情報記録手段
４０１ｂ  車両情報記録手段
４０２  端末情報記録手段
４０３  同時記録手段
４０４  時刻情報記録手段
５０１ａ  カメラ
５０１ｂ  カメラ
５０２ａ  マイク
５０２ｂ  マイク
５０３ａ  モニタ
５０３ｂ  モニタ
５０４ａ  スピーカ
５０４ｂ  スピーカ
【図１】
0005270955.tif 000002
【図２】
0005270955.tif 000003
【図３】
0005270955.tif 000004
【図４】
0005270955.tif 000005
【図５】
0005270955.tif 000006
【図６】
0005270955.tif 000007
【図７】
0005270955.tif 000008
【図８】
0005270955.tif 000009
【図９】
0005270955.tif 000010